(57)【要約】【課題】  視聴対象外の映像の再生や視聴対象の映像の欠落を回避が可能なセグメントメタデータ生成装置及び方法を提供すること。【解決手段】  セグメントメタデータ生成装置１００には、エンコーダ１０７によってエンコードされた映像ストリームであるＭＰＥＧ２−ＴＳ１０８と、エンコード前の映像に対して映像の区間を表す情報を記述生成したセグメントメタデータ１０９とが入力される。入力部１０１は映像ストリームを受け付ける。再生可能位置抽出部１０２は、入力された映像ストリームから再生可能位置情報１０３を抽出する。セグメントメタデータ補正部１０４は、セグメントメタデータに含まれる映像の種別とセグメントメタデータの補正方法との関連を定義する関連テーブル１０５を参照して、抽出した再生可能位置情報１０３に基づいて入力されたセグメントメタデータの開始位置を補正する。【選択図】  図１
2006345364.tif 000002
【特許請求の範囲】
【請求項１】
エンコードされた映像ストリームと、エンコードされる前の映像に関連した情報が記述されたセグメントメタデータとが入力される入力手段と、
前記映像ストリームから再生可能位置情報を抽出する抽出手段と、
前記抽出した前記再生可能位置情報に基づいて、前記入力されたセグメントメタデータを補正するセグメントメタデータ補正手段と、
を備えるセグメントメタデータ生成装置。
【請求項２】
請求項１に記載のセグメントメタデータ生成装置であって、
セグメントメタデータの種別と補正方法とを対応付けた補正テーブルを記憶する補正テーブル記憶手段を更に備え、前記セグメントメタデータ補正手段は、前記補正テーブルを参照して前記入力されたセグメントメタデータを補正するセグメントメタデータ生成装置。
【請求項３】
請求項１又は２に記載のセグメントメタデータ生成装置であって、
前記再生可能位置情報は、Ｉピクチャの位置情報であるセグメントメタデータ生成装置。
【請求項４】
請求項１又は２に記載のセグメントメタデータ生成装置であって、
前記再生可能位置情報は、ＧＯＰの情報であるセグメントメタデータ生成装置。
【請求項５】
エンコードされた映像ストリームと、エンコードされる前の映像に関連した情報が記述されたセグメントメタデータとが入力されるステップと、
前記映像ストリームから再生可能位置情報を抽出するステップと、
前記抽出した前記再生可能位置情報に基づいて、前記入力されたセグメントメタデータを補正するステップと、
を有するセグメントメタデータ生成方法。
【発明の詳細な説明】
【技術分野】
【０００１】
本発明は、放送局から放送された映像の再生可能位置情報を利用して、映像情報のセグメントメタデータを自動的に補正するセグメントメタデータ生成装置及び方法に関する。
【背景技術】
【０００２】
２００６年頃に放送開始が予定されているサーバー型放送サービスでは、デジタル放送及び／又はインターネットでサービスされる番組、各種情報、等を視聴者が大容量データを蓄積可能なホームサーバーに蓄積し、インターネットに接続することにより、放送番組と連動した種々の映像コンテンツを利用できる。そのサービスの一つとして、放送映像の区間に関する情報を記述したセグメントメタデータを利用し、蓄積された映像の一部区間のみを再生できる見込みである。
【０００３】
ＢＳ（Broadcasting Satellite）デジタル放送や地上デジタル放送では、ストリーム形式はＭＰＥＧ２−ＴＳ（Moving Pictures Experts Group Transport Stream）形式で伝送し、サーバー型放送がそれらの映像を利用することが見込まれている。映像は、ＭＰＥＧで圧縮した場合、フレーム内圧縮しフレーム間の予測を伴わないＩピクチャ（Intra Picture）と、前後フレームとの差異を利用した双方向予測的圧縮のＢピクチャ（Bi-directionally Predictive Picture）と、フレーム内圧縮の他に時間軸順方向のみの予測を行って時間型フレーム間圧縮しＩフレームとの差異を元にした前方予測可能なＰピクチャ（Predictive Picture）から構成される。
【０００４】
従来の放送では、放送映像は、主調整室のスイッチャで切り替え、収録番組カート、ＣＭカート、さまざまなサブスタジオ、等の分散した映像送出設備から切替映像をＭＰＥＧ形式にエンコードして送出している。切替映像は、ＭＰＥＧにエンコードした際に、フレーム内圧縮したＩピクチャとフレーム間圧縮したＢピクチャとＰピクチャから構成されるが、一般的に受信機は記憶装置に映像を録画又は蓄積した後、再生する場合には、低圧縮率のためデータ量が多く高画質であるＩピクチャから再生を開始している。
【０００５】
セグメントメタデータを生成する方法は、例えばニュースを制作するサブシステム等、ひとつの番組向けの映像製作スタジオレベルで出力された映像に対してセグメントメタデータを付与することを想定している。例えば、映像の編集において、ピクチャ情報を使用した編集方法及び編集装置が開示されている（例えば、特許文献１参照）。また、書換え可能なＤＶＤ向けの、ＭＰＥＧビットストリームの復号化及び再符号化することのない画像の編集が開示されている（例えば、特許文献２参照）。
【０００６】
【特許文献１】特開平１１−３４１４３６号公報
【特許文献１】特願２００１−５３７０６５号公報
【発明の開示】
【発明が解決しようとする課題】
【０００７】
しかしながら、上記従来の伝送方法にあっては、放送局では、映像の制作やスタジオでの収録段階では実際の伝送方法であるＭＰＥＧでない伝送方法が一般的であり、ＭＰＥＧ形式にするタイミングは最終的に放送局から出力するタイミングで行われているため、Ｉピクチャが挿入される位置は、放送するタイミングでしか知ることができない。
【０００８】
このように制作したセグメントメタデータを利用して蓄積した映像の一部分を再生すると、セグメントメタデータの開始位置にＩピクチャがなく、前後のＩピクチャから再生されるので、放送局として視聴をさせたくない映像が瞬時的に再生されたり、ＣＭなどの視聴させるべき映像が一部欠落することがあった。
【０００９】
特に、従来のリアルタイムで放送される番組は、本編とＣＭを交互に視聴する形態が主であるが、サーバー型放送では、番組の視聴形態としてＣＭをまとめて視聴し、その後本編をまとめて視聴するようなこともセグメントメタデータを利用することで可能となるが、本編を連続して見る際にセグメントメタデータの開始位置にＩピクチャがなく、数フレーム分ＣＭが再生されるようなことも発生するという事情があった。
【００１０】
本発明は、上記従来の事情に鑑みてなされたものであって、視聴対象外の映像の再生や視聴対象の映像の欠落を回避が可能なセグメントメタデータ生成装置及び方法を提供することを目的とする。
【課題を解決するための手段】
【００１１】
本発明のセグメントメタデータ生成装置は、エンコードされた映像ストリームと、エンコードされる前の映像に関連した情報が記述されたセグメントメタデータとが入力される入力手段と、前記映像ストリームから再生可能位置情報を抽出する抽出手段と、前記抽出した前記再生可能位置情報に基づいて、前記入力されたセグメントメタデータを補正するセグメントメタデータ補正手段と、を備える。
【００１２】
この構成により、エンコードされた映像ストリームに応じてセグメントメタデータを補正することにより、視聴対象外の映像の再生や視聴対象の映像の欠落を回避することができる。
【００１３】
また、本発明のセグメントメタデータ生成装置は、セグメントメタデータの種別と補正方法とを対応付けた補正テーブルを記憶する補正テーブル記憶手段を更に備え、前記セグメントメタデータ補正手段は、前記補正テーブルを参照して前記入力されたセグメントメタデータを補正する。この構成により、セグメントメタデータの種別に対応した補正を行うことができる。
【００１４】
また、本発明のセグメントメタデータ生成装置において、前記再生可能位置情報は、Ｉピクチャの位置情報である。この構成により、Ｉピクチャの位置に基づいて補正したセグメントメタデータを生成することができる。
【００１５】
また、本発明のセグメントメタデータ生成装置において、前記再生可能位置情報は、ＧＯＰの情報である。この構成により、ＧＯＰ単位でのセグメントメタデータの補正を行うことができる。
【００１６】
本発明のセグメントメタデータ生成方法は、エンコードされた映像ストリームと、エンコードされる前の映像に関連した情報が記述されたセグメントメタデータとが入力されるステップと、前記映像ストリームから再生可能位置情報を抽出するステップと、前記抽出した前記再生可能位置情報に基づいて、前記入力されたセグメントメタデータを補正するステップと、を有する。
【００１７】
この方法により、エンコードされた映像ストリームに応じてセグメントメタデータを補正することにより、視聴対象外の映像の再生や視聴対象の映像の欠落を回避することができる。
【発明の効果】
【００１８】
本発明によれば、視聴対象外の映像の再生や視聴対象の映像の欠落を回避が可能なセグメントメタデータ生成装置及び方法を提供することができる。
【発明を実施するための最良の形態】
【００１９】
図１は、本発明の実施形態に係るセグメントメタデータ生成装置の構成を示すブロック図である。図１に示すように、本実施形態のセグメントメタデータ生成装置１００には、エンコーダ１０７によってエンコードされた映像ストリームであるＭＰＥＧ２−ＴＳ１０８と、エンコード前の映像に対して映像の区間を表す情報を記述生成したセグメントメタデータ１０９とが入力される。
【００２０】
そして、セグメントメタデータ生成装置１００は、映像ストリームの入力を受け付ける入力部１０１と、入力された映像ストリームからＩピクチャの位置やＧＯＰの情報等の再生可能位置情報１０３を抽出する再生可能位置抽出部１０２と、セグメントメタデータに含まれる映像の種別（以下、セグメントメタデータ種という）とセグメントメタデータの補正方法との関連を定義する関連テーブル１０５と、関連テーブル１０５を参照して、入力されたセグメントメタデータの開始位置を抽出した再生可能位置情報１０３に基づいて補正するセグメントメタデータ補正部１０４とを有する。なお、関連テーブル１０５は、ＲＡＭ等の記憶手段に記憶される。
【００２１】
図２は、本実施形態のセグメントメタデータ生成方法の一例を示すフローチャートである。エンコーダ１０７は映像をエンコードし、映像ストリームであるＭＰＥＧ２−ＴＳ１０８を生成する（ステップＳ１）。次いで、セグメントメタデータ生成装置１００にＭＰＥＧ２−ＴＳ１０８が入力されると、再生可能位置抽出部１０２は、入力された映像ストリームから再生可能位置情報を抽出する（ステップＳ２）。
【００２２】
次いで、セグメントメタデータの種別とセグメントメタデータの補正情報を対応付ける関連テーブル１０５が定義される（ステップＳ３）。そして、セグメントメタデータ補正部１０４は、関連テーブル１０５と抽出した再生可能位置情報１０３を使用してセグメントメタデータ１０９の開始位置を補正して、セグメントメタデータ１０６を生成する（ステップＳ４）。
【００２３】
図３に、エンコード前の映像２０１とエンコード前の映像に付与されたセグメントメタデータ情報２０２とエンコード後のＩピクチャの位置情報２０３との一例を示す。それぞれの詳細は後述する。
【００２４】
図４は、エンコード前の映像の１区間を記述したセグメントメタデータの一例を示す図である。セグメントメタデータ情報２０２は、エンコード前のセグメントメタデータ１０９の映像の１区間を表す情報を記述し、セグメントメタデータ種別２００１、セグメントメタデータタイトル２００２、セグメントメタデータＩＮ点２００３、セグメントメタデータＯＵＴ点２００４、等の各項目名と各値を含む。
【００２５】
セグメントメタデータ種別２００１の項目は、エンコード前の映像の区間の種別を表し、例えば「本編」の値を有する。セグメントメタデータタイトル２００２の項目は、映像区間のタイトルを表し、例えば「特集：２１世紀型の農業とは」の値を有する。セグメントメタデータＩＮ点２００３の項目は、映像区間の開始時間を表し、番組の相対的な時間が例えば０秒を表す「００:００:００:０００」の値を有する。映像区間の終了時間を表すセグメントメタデータＯＵＴ点２００４の項目は、番組の開始からの相対的な時間を示し、例えば１０分１２秒２００ミリ秒を表す「００:１０:１２:２００」を有する。
【００２６】  さらに、図４は、エンコード前の映像の１区間を記述したセグメントメタデータの他の例を示す。このセグメントメタデータの他の例において、セグメントメタデータ種別３００１の項目は、エンコード前の映像の区間の種別を表し、例えば「ＣＭ」の値を有する。セグメントメタデータタイトル３００２の項目は、映像区間のタイトルを表し、例えば「（公序良俗違反につき、不掲載）  デジタル編」の値を有する。セグメントメタデータＩＮ点３００３の項目は、映像区間の開始時間を表し、番組の相対的な時間で例えば１０分１２秒２００ミリ秒を表す「００:１０:１２:２００」の値を有する。セグメントメタデータＯＵＴ点３００４の項目は、映像区間の終了時間を表し、番組の開始からの相対的な時間で例えば１０分２７秒２００ミリ秒を表す「００:１０:２７:２００」の値を有する。このように、図４は、図３（Ｂ）のエンコード前の映像に付与されたセグメントメタデータをテーブルとして表示した例である。【００２７】
図５は、再生可能位置抽出部によって抽出された再生可能位置情報の記述内容の一例を示す図である。セグメントメタデータ生成装置１００の再生可能位置抽出部１０２は、エンコーダ１０７にてエンコードされたＭＰＥＧ２−ＴＳ１０８から再生可能位置情報１０３を抽出する。Ｉピクチャ位置情報４０２は、再生可能位置となるＩピクチャが挿入された時間の情報であり、例えば、２０時１０分１１秒５００ミリ秒は「２０:１０:１１:５００」と表示することを示す。図５は、図３（Ｃ）のエンコード後のＩピクチャの位置情報をテーブルとして表示した例である。
【００２８】  図６は、図６（Ａ）に開始位置を補正する前のセグメントメタデータの一例を示し、図６（Ｂ）に開始位置を補正した後のセグメントメタデータの一例を示す。図３（Ｃ）に示すように、Ｉピクチャの位置情報２０３は「００:１０:１２:０００」、「００：１０：１２：５００」等であり、セグメントメタデータ５０４の開始位置５０１は「００:１０:１２:２００」であるため、「ＣＭ  （公序良俗違反につき、不掲載）  デジタル編」のセグメントメタデータ５０４を使用して再生する場合、受信機にて「００:１０:１２:５００」のＩピクチャの位置から再生されると、ＣＭが一部欠落することとなる。【００２９】
そこで、図６（Ｂ）に示すように、セグメントメタデータ生成装置１００は、セグメントメタデータ開始位置をＩピクチャの位置情報２０３から「００:１０:１２:０００」に補正することでＣＭの一部が欠落しないようにすることが可能となる。このように補正されたセグメントメタデータは、補正結果のセグメントメタデータ１０６として格納され処理される。
【００３０】
図７は、セグメントメタデータ種と補正情報との関連を管理する関連テーブルの一例を示す図である。関連テーブル１０５は、視聴パターン６０１、対象時間６０２、セグメントメタデータ種６０３、補正情報６０４、等の各情報の関連を管理するための情報テーブルである。
【００３１】
視聴パターン６０１の項目は、セグメントメタデータを利用した視聴のパターンを表すものであり、例えば本編のみのダイジェストを見る「本編ダイジェスト」やＣＭのみのダイジェストを見る「ＣＭダイジェスト」である。対象時間６０２の項目は、ダイジェストを構成する映像を放送する時間を表すものであり、例えば「２０:００:００〜２１:００:００」である。
【００３２】
セグメントメタデータ種６０３の項目は、対象となるセグメントメタデータの種別を表すものであり、例えば「本編のみ」である。補正情報６０４の項目は、ダイジェストを構成するセグメントメタデータの補正方法を表すものであり、例えば「ＣＭなし／１ＧＯＰ以内」であれば、１ＧＯＰ（Group Of Pictures）以内の補正でＣＭを入れないようにして補正することを表し、「ＣＭ優先／１ＧＯＰ以内」であれば、１ＧＯＰ（Group Of Pictures）以内の補正でＣＭを優先して補正することを表す。
【００３３】
以上説明したように、本発明の実施形態によれば、セグメントメタデータ生成装置及び方法は、エンコードする前の映像に対して生成したセグメントメタデータ及びキャプチャした映像と補正情報を利用して、セグメントメタデータの開始位置をエンコード後のＩピクチャの位置に補正することができ、セグメントメタデータを利用したダイジェスト視聴やハイライト視聴をさせる際の映像区間情報であるセグメントメタデータの精度を高めるという利点がある。
【産業上の利用可能性】
【００３４】
本発明のセグメントメタデータ生成装置及び方法は、視聴対象外の映像の再生や視聴対象の映像の欠落を回避が可能な効果を有し、サーバー型放送システム等に有用である。
【図面の簡単な説明】
【００３５】
【図１】本実施形態のセグメントメタデータ生成装置の構成を示すブロック図
【図２】本実施形態のセグメントメタデータ生成方法の一例を示すフローチャート
【図３】エンコード前の映像と、エンコード前の映像に付与されたセグメントメタデータ情報と、エンコード後のＩピクチャの位置情報との一例を示す図
【図４】エンコード前の映像の１区間を記述したセグメントメタデータの一例を示す図
【図５】再生可能位置抽出部によって抽出された再生可能位置情報の記述内容の一例を示す図
【図６】（Ａ）開始位置を補正する前のセグメントメタデータの一例を示す図、（Ｂ）に開始位置を補正した後のセグメントメタデータの一例を示す図
【図７】セグメントメタデータ種と補正情報との関連を管理する関連テーブルの一例を示す図
【符号の説明】
【００３６】
１００  セグメントメタデータ生成装置
１０１  入力部
１０２  再生可能位置抽出部
１０３  再生可能位置情報
１０４  セグメントメタデータ補正部
１０５  関連テーブル
１０６  補正結果のセグメントメタデータ
１０７  エンコーダ
１０８  ＭＰＥＧ２−ＴＳ
１０９  セグメントメタデータ
【図１】
2006345364.tif 000003
【図２】
2006345364.tif 000004
【図３】
2006345364.tif 000005
【図４】
2006345364.tif 000006
【図５】
2006345364.tif 000007
【図６】
2006345364.tif 000008
【図７】
2006345364.tif 000009